(57)【特許請求の範囲】
【請求項１】
アンテナと、
入力された音に対応する第１の音声信号を生成する送話器と、
前記送話器からの前記第１の音声信号を変調して第１の無線信号を生成し、この第１の無線信号を前記アンテナを介して送信する送信回路と、
前記アンテナに入力された第２の無線信号であって、第２の音声信号が変調された第２の無線信号を復調して前記第２の音声信号を生成する受信回路と、
前記受信回路からの前記第２の音声信号に対応する音を出力する受話器と、
前記受信回路および送信回路が搭載されたプリント回路板と、
前記プリント回路板と前記アンテナとの電磁干渉を抑えるように、前記プリント回路板を囲むシールドケースであって、表面が導電性を有するシールドケースと、
前記シールドケースの前記表面のうち、通話時に人体頭部側に位置する領域に密着する電波吸収体と、
前記シールドケースの前記表面に接続された導電層と
を有し、
前記電波吸収体の一方の面は、前記シールドケースの前記表面に密着しており、前記電波吸収体の前記一方の面に対向する他方の面は、前記導電層に接している
携帯電話機。
【請求項２】
前記導電層は、前記電波吸収体の前記他方の面に形成された金属膜である
請求項１記載の携帯電話機。
【請求項３】
前記導電層の表面と前記シールドケースの前記表面とに接合された金属配線をさらに有する
請求項２記載の携帯電話機。
【請求項４】
前記導電層は、前記シールドケースの前記表面に固定された金属板であり、
前記電波吸収体は、前記シールドケースの前記表面と前記金属板との間に挟まっている
請求項１記載の携帯電話機。
【請求項５】
前記電波吸収体は、磁気損失材料を含有する
請求項１記載の携帯電話機。
【請求項６】
前記電波吸収体は、前記磁気損失材料と合成樹脂とを混合して成形した成形物である
請求項５記載の携帯電話機。
【請求項７】
前記送信回路および受信回路と前記アンテナとの間に介在する切替回路をさらに有し、
前記切替回路は、前記プリント回路板に搭載されており、前記送信回路からの前記第１の無線信号を前記アンテナに供給すると共に、前記アンテナからの前記第２の無線信号を前記受信回路に供給し、
前記切替回路と前記アンテナは、フィーダ部を介して接続されており、
前記シールドケースの前記領域のうち、前記フィーダ部およびその近傍と前記受話器およびその近傍との間に位置する部分に、前記電波吸収体が密着している
請求項１記載の携帯電話機。
【請求項８】
前記シールドケースは、絶縁性の材料からなるケースと、このケースの表面に形成された導電層とにより構成されており、
前記導電層は、前記プリント回路板のグランド層に接続されている
請求項１記載の携帯電話機。
【請求項９】
前記シールドケースは、導電性の材料からなり、前記プリント回路板のグランド層に接続されている
請求項１記載の携帯電話機。
【請求項１０】
前記プリント回路板、前記シールドケース、前記電波吸収体、前記送話器および前記受話器を格納する絶縁性の材料からなる筐体をさらに有し、
前記受話器は、前記筐体の一方の端部の近傍に配置されており、
前記送話器は、前記筐体の他方の端部の近傍に配置されており、
前記アンテナは、前記筐体の前記一方の端部から前記筐体の長手方向に伸縮可能なリトラクタブル・アンテナである
請求項１記載の携帯電話機。
【請求項１１】
前記送信回路および受信回路と前記アンテナとの間に介在する切替回路をさらに有し、
前記切替回路は、前記プリント回路板に搭載されており、前記送信回路からの前記第１の無線信号を前記アンテナに供給すると共に、前記アンテナからの前記第２の無線信号を前記受信回路に供給し、
前記切替回路と前記アンテナは、フィーダ部を介して接続されており、
前記シールドケースの前記領域のうち、前記筐体に形成された受話口およびその近傍と前記フィーダ部およびその近傍との間に位置する部分に、前記電波吸収体が密着している
請求項１０記載の携帯電話機。
【発明の詳細な説明】
【０００１】
【発明の属する技術分野】
本発明は、携帯電話機に関する。
【０００２】
【従来の技術】
図１は、携帯電話機を示す概略的な構成図である。この携帯電話機１００は、携帯電話機１００の利用者９０の頭部（人体頭部）９１に接触している。
携帯電話機１００は、アンテナ１と、フィーダ部２と、プリント基板３と、シールドケース４と、部品５Ａ，５Ｂと、送話器６と、キーパッド７と、液晶表示器８と、受話器９と、絶縁性の筐体１０とを有する。
【０００３】
送受信用のアンテナ１は、筐体１０の上端部から突出しており、送信時では基地局に電波を送出し、受信時では基地局からの電波が入力される。
このアンテナ１は、筐体１０の長手方向に伸縮可能なリトラクタブル・アンテナである。
【０００４】
プリント基板３の一方の面には、例えば、半導体集積回路（ＩＣ）、トランジスタ、コンデンサ、抵抗器等の部品５Ａが実装されている。
プリント基板３の他方の面には、例えば、ＩＣ、トランジスタ、コンデンサ、抵抗器等の部品５Ｂが実装されている。
プリント基板３および部品５Ａ，５Ｂにより、プリント回路板５が構成されている。このプリント回路板５には、切替回路、制御回路、送信回路および受信回路が搭載されている。送信回路および受信回路とアンテナ１との間は、切替回路およびフィーダ部２を介して接続されている。
【０００５】
筐体１０には、送話器６用の孔６Ｈ、受話器９用の孔９Ｈ、液晶表示器８用の窓８Ｗ等が設けてある。孔６Ｈは送話口であり、孔９Ｈは受話口である。
筐体１０は、プリント回路板５、シールドケース４、送話器６および受話器９を格納している。
利用者９０は、窓８Ｗを通して液晶表示器８の表示を見ることができる。
利用者９０は、孔９Ｈを介して受話器９の出力音を聞くことができる。
利用者９０が発声した音は、孔６Ｈを介して送話器６に供給される。送話器６は、利用者９０の発声音などの音が入力され、当該音に対応する第１の音声信号を生成する。
【０００６】
プリント回路板５は、第１の音声信号を第１の無線信号に変換し、この第１の無線信号は、アンテナ１から基地局に送信される。この基地局は、携帯電話機１００に対して第２の無線信号を送信する。
プリント回路板５は、アンテナ１に入力された第２の無線信号を第２の音声信号に変換して受話器９に供給する。受話器９は、第２の音声信号に対応する音を出力し、当該音を利用者９０の耳に供給する。
なお、プリント回路板５、送話器６、受話器９、液晶表示器８等の回路は、携帯電話機１００内の不図示の駆動用電源（例えば電池またはバッテリ）から駆動電力が供給されるようになっている。
【０００７】
キーパッド７は、ダイヤルボタンまたはテンキーを有する。このキーパッド７は、利用者９０により電話番号等の情報が入力される。
液晶表示器８は、種々の情報を表示する。例えは、キーパッド７に入力された電話番号を表示する。
【０００８】
シールドケース４は、プリント回路板５のグランド層に接続されており、プリント回路板５とアンテナ１との電磁干渉を抑えるように、プリント回路板５を囲んでいる。シールドケース４の表面は、導電性を有する。
【０００９】
近年、携帯電話機を対象とした局所吸収指針が日本で制定された。局所吸収の評価量としては、単位質量当たりに吸収される電磁エネルギーの電力を示すＳＡＲ（Specific Absorption Rate）がある。
例えば、日本の局所吸収指針では、１０グラム組織平均ＳＡＲのピーク値が２Ｗ／ｋｇを超えないように定めている。
【００１０】
「携帯電話の筐体面電流の制御による局所ＳＡＲの低減化と通信特性の確保」（日本応用磁気学会誌、Vol.23,No.10,pp.2005-2008(1999））には、携帯電話機の金属筐体にフェライトシートを装着することにより、局所ＳＡＲを低減することが記載されている。
【００１１】
【発明が解決しようとする課題】
ＳＡＲは、携帯電話機の送信出力が大きいほど高くなり、携帯電話機の電波の放射源と人体との距離が近いほど高くなる傾向がある。
携帯電話機では、ＳＡＲ（局所ＳＡＲ）の最も高くなる位置が、アンテナ以外の部分、例えばシールドケース近傍になることがある。これは、シールドケースがアンテナの一部として働くことと、通話時にアンテナよりもシールドケースを人体頭部側に近付けることに起因する。
【００１２】
図２は、図１の携帯電話機１００に対して電波吸収体を装着した携帯電話機１０１を示す概略的な説明図である。なお、図２の携帯電話機１０１において、図１の携帯電話機１００と同一構成部分には同一符号を付しており、同一構成部分の説明を適宜省略する。
この携帯電話機１０１では、シート状の電波吸収体１１が、絶縁性の接着剤１２を介してシールドケース４の人体頭部９１側に装着されている。絶縁性の接着剤１２は、例えば合成樹脂のみを材料とする接着剤である。
【００１３】
携帯電話機１０１のように、電波吸収体１１をシールドケース４に装着することでＳＡＲを低減可能であるが、ＳＡＲをさらに低減することが望ましい。
本発明の目的は、携帯電話機の内部から人体頭部側に放射される電磁エネルギーを低減可能な携帯電話機を提供することにある。
【００１４】
【課題を解決するための手段】
本発明に係る携帯電話機は、アンテナと、入力された音に対応する第１の音声信号を生成する送話器と、前記送話器からの前記第１の音声信号を変調して第１の無線信号を生成し、この第１の無線信号を前記アンテナを介して送信する送信回路と、前記アンテナに入力された第２の無線信号であって、第２の音声信号が変調された第２の無線信号を復調して前記第２の音声信号を生成する受信回路と、前記受信回路からの前記第２の音声信号に対応する音を出力する受話器と、前記受信回路および送信回路が搭載されたプリント回路板と、前記プリント回路板と前記アンテナとの電磁干渉を抑えるように、前記プリント回路板を囲むシールドケースであって、表面が導電性を有するシールドケースと、前記シールドケースの前記表面のうち、通話時に人体頭部側に位置する領域に密着する電波吸収体と、前記シールドケースの前記表面に接続された導電層とを有し、前記電波吸収体の一方の面は、前記シールドケースの前記表面に密着しており、前記電波吸収体の前記一方の面に対向する他方の面は、前記導電層に接している。
【００１５】
本発明に係る携帯電話機では、好適には、前記導電層は、前記電波吸収体の前記他方の面に形成された金属膜である。
【００１６】
本発明に係る携帯電話機は、例えば、前記導電層の表面と前記シールドケースの前記表面とに接合された金属配線をさらに有する構成としてもよい。
【００１７】
本発明に係る携帯電話機では、例えば、前記導電層は、前記シールドケースの前記表面に固定された金属板であり、前記電波吸収体は、前記シールドケースの前記表面と前記金属板との間に挟まっている構成としてもよい。
【００１８】
本発明に係る携帯電話機では、好適には、前記電波吸収体は、磁気損失材料を含有し、例えば、前記磁気損失材料と合成樹脂とを混合して成形した成形物としてもよい。
【００１９】
本発明に係る携帯電話機では、好適には、前記送信回路および受信回路と前記アンテナとの間に介在する切替回路をさらに有し、前記切替回路は、前記プリント回路板に搭載されており、前記送信回路からの前記第１の無線信号を前記アンテナに供給すると共に、前記アンテナからの前記第２の無線信号を前記受信回路に供給し、前記切替回路と前記アンテナは、フィーダ部を介して接続されており、前記シールドケースの前記領域のうち、前記フィーダ部およびその近傍と前記受話器およびその近傍との間に位置する部分に、前記電波吸収体が密着している。
【００２０】
本発明に係る携帯電話機では、例えば、前記シールドケースは、絶縁性の材料からなるケースと、このケースの表面に形成された導電層とにより構成されており、前記導電層は、前記プリント回路板のグランド層に接続されている構成としてもよい。
本発明に係る携帯電話機では、例えば、前記シールドケースは、導電性の材料からなり、前記プリント回路板のグランド層に接続されている構成としてもよい。
【００２１】
本発明に係る携帯電話機は、好適には、前記プリント回路板、前記シールドケース、前記電波吸収体、前記送話器および前記受話器を格納する絶縁性の材料からなる筐体をさらに有し、前記受話器は、前記筐体の一方の端部の近傍に配置されており、前記送話器は、前記筐体の他方の端部の近傍に配置されており、前記アンテナは、前記筐体の前記一方の端部から前記筐体の長手方向に伸縮可能なリトラクタブル・アンテナである。
【００２２】
本発明に係る携帯電話機は、好適には、前記送信回路および受信回路と前記アンテナとの間に介在する切替回路をさらに有し、前記切替回路は、前記プリント回路板に搭載されており、前記送信回路からの前記第１の無線信号を前記アンテナに供給すると共に、前記アンテナからの前記第２の無線信号を前記受信回路に供給し、前記切替回路と前記アンテナは、フィーダ部を介して接続されており、前記シールドケースの前記領域のうち、前記筐体に形成された受話口およびその近傍と前記フィーダ部およびその近傍との間に位置する部分に、前記電波吸収体が密着している。
【００２３】
シールドケースは、受信回路および送信回路が搭載されたプリント回路板とアンテナとの電磁干渉を抑える。このシールドケースの表面は、導電性を有する。
このシールドケースの表面のうち、通話時に人体頭部側に位置する領域に電波吸収体を密着させることで、電磁エネルギーを電波吸収体に吸収させることができ、ＳＡＲを低減可能である。
また、シールドケース表面に接続された導電層が電波吸収体の表面に接しているので、シールドケース表面から放射された電波が電波吸収体を透過した場合に、透過した電波を導電層で吸収することができ、ＳＡＲの低減量を大きくすることが可能である。
【００２４】
【発明の実施の形態】
以下、本発明の実施の形態を、添付図面を参照して説明する。
【００２５】
図３は、本発明に係る携帯電話機の第１の実施の形態を示す概略的な構成図である。この携帯電話機１０２は、携帯電話機１０２の利用者９０の頭部（人体頭部）９１に接触している。
【００２６】
携帯電話機１０２は、アンテナ１と、フィーダ部２と、プリント基板３と、シールドケース４Ａと、部品５Ａ，５Ｂと、送話器６と、キーパッド７と、液晶表示器８と、受話器９と、電波吸収体３１と、絶縁性の筐体１０と、導電層３２とを有する。筐体１０の長手方向の寸法は、一例として、約１２ｃｍとする。
【００２７】
送受信用のアンテナ１は、送信時では基地局に電波を送出し、受信時では基地局からの電波が入力される。
アンテナ１は、筐体１０の一方の端部から筐体１０の長手方向に伸縮可能なリトラクタブル・アンテナである。
【００２８】
プリント基板３の一方の面には、例えば、半導体集積回路（ＩＣ）、トランジスタ、コンデンサ、抵抗器等の部品５Ａが実装されている。
プリント基板３の他方の面には、例えば、ＩＣ、トランジスタ、コンデンサ、抵抗器等の部品５Ｂが実装されている。
プリント基板３および部品５Ａ，５Ｂにより、プリント回路板５が構成されている。このプリント回路板５には、切替回路（ＳＷ）、制御回路（ＣＮＴ）、送信回路（ＴＲＳ）および受信回路（ＲＣＶ）が搭載されている。送信回路および受信回路とアンテナ１との間は、切替回路およびフィーダ部２を介して接続されている。
【００２９】
筐体１０は、プリント回路板５、シールドケース４Ａ、電波吸収体３１、送話器６および受話器９を格納している。
受話器９は、筐体１０の一方の端部の近傍に配置されている。
送話器６は、筐体１０の他方の端部の近傍に配置されている。
筐体１０には、送話器６用の孔６Ｈ、受話器９用の孔９Ｈ、液晶表示器８用の窓８Ｗ等が設けてある。孔６Ｈは送話口であり、孔９Ｈは受話口である。
【００３０】
利用者９０は、窓８Ｗを通して液晶表示器８の表示を見ることができる。
利用者９０は、孔９Ｈを介して受話器９の出力音を聞くことができる。
利用者９０が発声した音は、孔６Ｈを介して送話器６に供給される。送話器６は、利用者９０の発声音などの音が入力され、当該音に対応する第１の音声信号を生成する。
【００３１】
プリント回路板５は、第１の音声信号を第１の無線信号に変換し、この第１の無線信号は、アンテナ１から基地局に送信される。この基地局は、携帯電話機１０２に対して第２の無線信号を送信する。
プリント回路板５は、アンテナ１に入力された第２の無線信号を第２の音声信号に変換して受話器９に供給する。受話器９は、第２の音声信号に対応する音を出力し、当該音を利用者９０の耳に供給する。第１および／または第２の無線信号の周波数は、例えば、約８００ＭＨｚまたは約９００ＭＨｚとしてもよく、約１．８ＧＨｚまたは約２ＧＨｚとしてもよい。
なお、プリント回路板５、送話器６、受話器９、液晶表示器８等の回路は、携帯電話機１０２内の不図示の駆動用電源（例えば電池またはバッテリ）から駆動電力が供給されるようになっている。
【００３２】
キーパッド７は、ダイヤルボタンまたはテンキーを有する。このキーパッド７は、利用者９０により電話番号等の情報が入力される。
液晶表示器８は、種々の情報を表示する。例えは、キーパッド７に入力された電話番号を表示する。
【００３３】
シールドケース４Ａは、プリント回路板５のグランド層に接続されており、プリント回路板５とアンテナ１との電磁干渉を抑えるように、プリント回路板５を囲んでいる。シールドケース４Ａの表面は、導電性を有する。
例えば、シールドケース４Ａは、絶縁性の材料からなるケースと、このケースの表面に形成された導電層とを有し、当該導電層がプリント回路板５のグランド層に接続された構成としてもよい。一例として、ニッケル等の金属のメッキをプラスチックケースに施すことで、当該金属メッキによる導電層を有するシールドケース４Ａを形成してもよい。
シールドケース４Ａは、導電性の材料により構成してもよく、例えば金属製のケースとしてもよい。
【００３４】
シールドケース４Ａの外側の表面のうち、通話時に人体頭部９１側に位置する頭部側領域４９には、電波吸収体３１が密着している。電波吸収体３１の一方の面は、接着剤２１によりシールドケース４Ａの頭部側領域４９に接着されている。電波吸収体３１の接着面は、シールドケース４Ａの表面に応じて加工されており、シールドケース４Ａの頭部側領域４９に対して密着可能となっている。
【００３５】
また、電波吸収体３１の一方の面（接着面）に対向する他方の面は、導電層３２に接している。導電層３２の表面およびシールドケース４Ａの表面には、金属配線３３が接合されている。例えば、導電層３２は、電波吸収体３１の他方の面に形成された一定または略一定の厚さの金属膜としてもよい。この金属膜は、銅、アルミニウム、または、ニッケルのメッキにより形成してもよい。
【００３６】
電波吸収体３１は、磁気損失材料を含有する。磁気損失材料は、例えば、フェライト、パーマロイ、センダスト、ステンレス（ステンレス合金）、ケイ素鋼、鉄系アモルファス合金、磁性体、磁性合金等により構成する。
電波吸収体３１は、例えば、ポリアミド系の合成高分子物質、塩素化ポリエチレン、シリコーン樹脂、フェノール樹脂、エポキシ樹脂などの絶縁性の高分子化合物と、磁気損失材料の粉末とを混合し、混合物を所望の形状に硬化させた成形物としてもよい。絶縁性の高分子化合物は、バインダ材として用いてもよい。
【００３７】
一例として、電波吸収体３１は、磁気損失材料の粉末を合成樹脂に加えて混練し、または合成樹脂を磁気損失材料の粉末に加えて混練し、成形加工した成形物としてもよい。なお、前記粉末は、偏平形状としてもよい。
また、電波吸収体３１としては、例えば、フェライトの粉末をプレス成形した焼結体を用いてもよい。
【００３８】
携帯電話機１０２では、無線通信に使用する無線信号の波長に対して、筐体１０の長手方向の寸法が小さく、シールドケース４Ａもアンテナの一部として働いている。すなわち、アンテナ１に給電される電力により、シールドケース４Ａの表面に電流が流れ、当該表面が励起される。
【００３９】
携帯電話機１０２では、シールドケース４Ａの頭部側領域４９のうち、受話器９およびその近傍とフィーダ部２およびその近傍との間に位置する中間部分に、電波吸収体３１が密着している。
または、シールドケース４Ａの頭部側領域４９のうち、受話口９Ｈおよびその近傍とフィーダ部２およびその近傍との間に位置する中間部分に、電波吸収体３１が密着している。
前記中間部分に電波吸収体３１を密着配置することで、前記中間部分またはフィーダ部２もしくはその近傍から人体頭部９１側に放射される電磁エネルギーを電波吸収体３１により吸収可能である。
【００４０】
また、携帯電話機１０２では、シールドケース４Ａの表面に接続された導電層３２が電波吸収体３１の表面に接しているので、シールドケース４Ａの表面から放射された電波が電波吸収体３１を透過した場合に、透過した電波を導電層３２で吸収することができ、ＳＡＲの低減量を大きくすることが可能である。
【００４１】
図４は、図３の携帯電話機１０２の概略的なブロック構成図である。
図４の携帯電話機１０２において、切替回路（ＳＷ）２Ａ、制御回路（ＣＮＴ）５０、送信回路（ＴＲＳ）５６、および、受信回路（ＲＣＶ）５９は、図３中の部品５Ａ，５Ｂおよびプリント基板３により構成されており、図３中のプリント回路板５に搭載されている。
【００４２】
送話器（ＭＩＣ）６には、利用者９０の発声音が入力され、この入力音を電気音響変換することにより入力音に対応する第１の音声信号Ｓ１を生成する。
送信回路５６は、第１の音声信号Ｓ１を変調して第１の無線信号Ｓ１１に変換し、この第１の無線信号Ｓ１１を切替回路２Ａに出力する。
【００４３】
切替回路２Ａは、送信回路５６からの第１の無線信号Ｓ１１を、フィーダ部２を介してアンテナ１に供給する。アンテナ１は、第１の無線信号Ｓ１１を電気信号から電波に変換し、当該電波を基地局に送出する。
【００４４】
アンテナ１は、第２の音声信号Ｓ２が変調された第２の無線信号Ｓ１２が入力され、この第２の無線信号Ｓ１２をフィーダ部２を介して切替回路２Ａに供給する。
切替回路２Ａは、アンテナ１からの第２の無線信号Ｓ１２を、受信回路５９に供給する。
【００４５】
受信回路５９は、第２の無線信号Ｓ１２を復調して第２の音声信号Ｓ２を生成し、この第２の音声信号Ｓ２を受話器９に出力する。
受話器９は、第２の音声信号Ｓ２を電気音響変換することにより第２の音声信号Ｓ２に対応する音を出力し、出力音を利用者９０の耳に供給する。
【００４６】
制御回路５０は、携帯電話機１０２の全体を制御するコントローラであり、送信回路５６、受信回路５９、切替回路２Ａ、および、液晶表示器８を制御する。
また、制御回路５０は、送受信シーケンス動作の制御、送受信プロトコルの制御等を行い、例えばマイクロコンピュータ（マイコン）により構成される。
【００４７】
キーパッド７は、キーパッド７に入力された入力情報を制御回路５０に供給する。制御回路５０は、キーパッド７の入力情報に基づいて種々の信号処理を行う。制御回路５０は、液晶表示器８の表示制御を行い、例えば、キーパッド７の入力情報を液晶表示器８の表示画面に表示させる。
【００４８】
図５は、本発明に係る携帯電話機の第２の実施の形態を示す概略的な構成図である。この携帯電話機１０３は、携帯電話機１０３の利用者９０の頭部（人体頭部）９１に接触している。なお、図３の携帯電話機１０２と同一構成部分には同一符号を付しており、同一構成部分の説明を適宜省略する。
携帯電話機１０３は、図３の携帯電話機１０２と比べた場合、電波吸収体３１の取付け方法が異なる。図５の携帯電話機１０３では、金属板である導電層３４とシールドケース４Ａとにより電波吸収体３１を挟んでいる。
【００４９】
携帯電話機１０３は、アンテナ１と、フィーダ部２と、プリント基板３と、シールドケース４Ａと、部品５Ａ，５Ｂと、送話器６と、キーパッド７と、液晶表示器８と、受話器９と、電波吸収体３１と、絶縁性の筐体１０と、導電層３４とを有する。
【００５０】
シールドケース４Ａの外側の表面のうち、通話時に人体頭部９１側に位置する頭部側領域４９には、電波吸収体３１の一方の面が密着している。電波吸収体３１の密着面は、シールドケース４Ａの表面に応じて加工されており、シールドケース４Ａの頭部側領域４９に対して密着可能となっている。
【００５１】
電波吸収体３１の一方の面（密着面）に対向する他方の面には、導電層３４が接している。導電層３４は、シールドケース４Ａの表面に固定された金属板であり、電波吸収体３１は、シールドケース４Ａの表面と金属板との間に挟まって保持されている。
【００５２】
携帯電話機１０３では、シールドケース４Ａの頭部側領域４９のうち、受話器９およびその近傍とフィーダ部２およびその近傍との間に位置する中間部分に、電波吸収体３１が密着している。
または、シールドケース４Ａの頭部側領域４９のうち、受話口９Ｈおよびその近傍とフィーダ部２およびその近傍との間に位置する中間部分に、電波吸収体３１が密着している。
前記中間部分に電波吸収体３１を密着配置することで、前記中間部分またはフィーダ部２もしくはその近傍から人体頭部９１側に放射される電磁エネルギーを電波吸収体３１で吸収可能である。
【００５３】
また、携帯電話機１０３では、シールドケース４Ａの表面に接続された導電層３４が電波吸収体３１の表面に接しているので、シールドケース４Ａの表面から放射された電波が電波吸収体３１を透過した場合に、透過した電波を導電層３４で吸収することができ、ＳＡＲの低減量を大きくすることが可能である。
【００５４】
なお、電波吸収体３１は、例えば直方体または略直方体の形状とし、一例として直方体の縦横の寸法は約１ｃｍ〜約４ｃｍ（または約２ｃｍ〜約３ｃｍ）としてもよく、厚さは約１ｍｍ〜約４ｍｍ（または約２ｍｍ〜約３ｍｍ）としてもよい。
また、上記実施の形態は本発明の例示であり、本発明は上記実施の形態に限定されない。
【００５５】
【発明の効果】
以上に説明したように、本発明に係る携帯電話機では、電波吸収体の表面に接する導電層により、ＳＡＲの低減量を大きくすることが可能である。
このように、本発明によれば、携帯電話機の内部から人体頭部側に放射される電磁エネルギーを低減可能な携帯電話機を提供することができる。
【図面の簡単な説明】
【図１】携帯電話機を例示する概略的な構成図である。
【図２】図１の携帯電話機に対して電波吸収体を装着した携帯電話機を示す概略的な説明図である。
【図３】本発明に係る携帯電話機の第１の実施の形態を示す概略的な構成図である。
【図４】図３の携帯電話機の概略的なブロック構成図である。
【図５】本発明に係る携帯電話機の第２の実施の形態を示す概略的な構成図である。
【符号の説明】
１…アンテナ、２…フィーダ部、２Ａ…切替回路（ＳＷ）、３…プリント基板、４，４Ａ…シールドケース、５…プリント回路板、５Ａ，５Ｂ…部品、６…送話器（ＭＩＣ）、６Ｈ…孔（送話口）、７…キーパッド（ＰＡＤ）、８…液晶表示器（ＬＣＤ）、８Ｗ…窓、９…受話器、９Ｈ…孔（受話口）、１０…筐体、１１，３１…電波吸収体、１２，２１…接着剤、３２，３４…導電層、３３…金属配線、４９…頭部側領域（領域）、５０…制御回路（ＣＮＴ）、５６…送信回路（ＴＲＳ）、５９…受信回路（ＲＣＶ）、９０…利用者、９１…頭部（人体頭部）、１００〜１０３…携帯電話機、Ｓ１…第１の音声信号、Ｓ２…第２の音声信号、Ｓ１１…第１の無線信号、Ｓ１２…第２の無線信号。
【図１】
0004206612.tif 000002
【図２】
0004206612.tif 000003
【図３】
0004206612.tif 000004
【図４】
0004206612.tif 000005
【図５】
0004206612.tif 000006